(57)【要約】【課題】  利用者が携帯する装置の構成を複雑にすることなく、また周辺に騒音を生じることなく音声案内を提供する音声案内システムを得る。【解決手段】  無線ＩＤタグ１が、無線ＩＤタグリーダライタ２から呼び出し信号を受信すると応答信号を返信し、無線ＩＤタグリーダライタ２が、定期的に無線ＩＤタグ１の呼び出し信号を出力し、それに対する応答信号を受信すると個別情報を読み出し、コンピュータ３が、設置される場所と個別情報に応じた音声メッセージを記憶する音声メッセージ記憶部３２と、無線ＩＤタグ１から読み出した個別情報に対応する音声メッセージを音声メッセージ記憶部３２から選択する音声メッセージ選択部３３と、音声信号によって超音波帯域の搬送波を変調する変調器４１と変調信号を超指向性の音波として放射するパラメトリックスピーカ４３とを含むパラメトリックスピーカ装置４とを備える。【選択図】        図１
2006128805.tif 000002
【特許請求の範囲】
【請求項１】
個別情報が書き込まれた無線ＩＤタグと、当該無線ＩＤタグから個別情報を読み取る無線ＩＤタグリーダライタと、読み取られた個別情報に応じて音声案内を発する音声制御装置とを備えた音声案内システムにおいて、
前記無線ＩＤタグが、前記無線ＩＤタグリーダライタから呼び出し信号を受信すると応答信号を返信し、
前記無線ＩＤタグリーダライタが、定期的に前記無線ＩＤタグの呼び出し信号を出力し、それに対する応答信号を受信すると当該無線ＩＤタグから個別情報を読み出し、
前記音声制御装置が、
設置される場所と個別情報に応じた音声メッセージを記憶する音声メッセージ記憶部と、
前記無線ＩＤタグリーダライタが前記無線ＩＤタグから読み出した個別情報に対応する音声メッセージを前記音声メッセージ記憶部から選択し、音声信号に変換する音声メッセージ選択部と、
前記選択された音声信号によって超音波帯域の搬送波を変調する変調器と、前記変調器からの変調信号を超指向性の音波として放射し、当該超指向性の音波を介して可聴音を伝達させるスピーカとを含むスピーカ装置とを備えたことを特徴とする音声案内システム。
【請求項２】
無線ＩＤタグが、利用者の個別情報を記憶し、当該利用者により携帯されることを特徴とする請求項１記載の音声案内システム。
【請求項３】
無線ＩＤタグが、製品に関する個別情報を記憶し、当該製品に取り付けられることを特徴とする請求項１記載の音声案内システム。
【請求項４】
無線ＩＤタグが、貨物に関する個別情報を記憶し、当該貨物に取り付けられることを特徴とする請求項１記載の音声案内システム。
【請求項５】
無線ＩＤタグが、自身が記憶する個別情報を書き換えることが可能な書き換え手段を備えたことを特徴とする請求項１記載の音声案内システム。
【請求項６】
複数の無線ＩＤタグリーダライタおよび複数のスピーカ装置を備え、各無線ＩＤタグリーダライタは、音声制御装置に対して自身の配置を示す管理番号を供給し、当該管理番号に対応するスピーカ装置に音声信号を供給することを特徴とする請求項１から請求項５のうちのいずれか１項記載の音声案内システム。
【請求項７】
音声制御装置が、無線ＩＤタグに書き込みたい個別情報を格納する個別情報記憶部を備え、
無線ＩＤタグリーダライタが、前記個別情報記憶部から個別情報を読み出して無線ＩＤタグに書き込むことを特徴とする請求項１から請求項６のうちのいずれか１項記載の音声案内システム。
【発明の詳細な説明】
【技術分野】
【０００１】
この発明は、無線ＩＤタグを利用した音声案内システムに関するものである。
【背景技術】
【０００２】
従来の音声情報送受信装置は、例えば特許文献１に開示される。これは、人体に装着される受信装置から、この受信装置に記憶される利用者に関する属性情報および必要に応じて供給するその他の関連情報を、無線通信を用いて人体以外に装備される送信装置に受け渡し、上記属性情報および関連情報に基づいて送信装置に記憶された複数の音声または音楽情報を選択して、再び無線回線を介して上記の受信装置に送り、受信装置が復調する装置を開示する。
【０００３】
また、駅の改札等では、予め個人情報を書き込んだ無線ＩＤタグ（Ｓｕｉｃａ（登録商標）等）を利用し、無線ＩＤタグを携帯する利用者がゲートを通過したときにアラーム音で警告、音声案内、または文字による表示を行って利用者に案内を提示していた。
【特許文献１】特開２００４−１７７４２１号公報
【発明の開示】
【発明が解決しようとする課題】
【０００４】
従来の音声情報送受信装置は上記のように構成されているので、送信装置から無線回線を介して送られる音声や音楽情報を受信する受信手段、および音声や音楽情報を復調する復調手段を受信装置に設ける必要があるため、受信装置の構成が複雑になるという課題があった。
【０００５】
また、アラーム音による警告または音声案内を行っていたので、利用者がヘッドホン等を用いて音声案内を聞くようにしない限り、受信装置から発せられる音声や音楽情報が周辺の騒音の要因になったり、個人的な情報や秘匿性のある情報が周囲に伝達されたりするという課題もあった。
【０００６】
この発明は、上記のような課題を解決するためになされたものであり、受信装置の構成を複雑にすることなく、また周辺に騒音を生じることなく音声案内を提供する音声案内システムを得ることを目的とする。
【課題を解決するための手段】
【０００７】
この発明に係る音声案内システムは、個別情報が書き込まれた無線ＩＤタグと、無線ＩＤタグから個別情報を読み取る無線ＩＤタグリーダライタと、読み取られた個別情報に応じて音声案内を発する音声制御装置とを備え、無線ＩＤタグが、無線ＩＤタグリーダライタから呼び出し信号を受信すると応答信号を返信し、無線ＩＤタグリーダライタが、定期的に無線ＩＤタグの呼び出し信号を出力し、それに対する応答信号を受信すると無線ＩＤタグから個別情報を読み出し、音声制御装置が、設置される場所と個別情報に応じた音声メッセージを記憶する音声メッセージ記憶部と、無線ＩＤタグリーダライタが無線ＩＤタグから読み出した個別情報に対応する音声メッセージを音声メッセージ記憶部から選択し、音声信号に変換する音声メッセージ選択部と、選択された音声信号によって超音波帯域の搬送波を変調する変調器と、変調器からの変調信号を超指向性の音波として放射し、当該超指向性の音波を介して可聴音を伝達させるスピーカとを含むスピーカ装置とを備えたものである。
【発明の効果】
【０００８】
この発明によれば、音声案内システムが、個別情報が書き込まれた無線ＩＤタグと、無線ＩＤタグから個別情報を読み取る無線ＩＤタグリーダライタと、読み取られた個別情報に応じて音声案内を発する音声制御装置とを備え、無線ＩＤタグが、無線ＩＤタグリーダライタから呼び出し信号を受信すると応答信号を返信し、無線ＩＤタグリーダライタが、定期的に無線ＩＤタグの呼び出し信号を出力し、それに対する応答信号を受信すると無線ＩＤタグから個別情報を読み出し、音声制御装置が、設置される場所と個別情報に応じた音声メッセージを記憶する音声メッセージ記憶部と、無線ＩＤタグリーダライタが無線ＩＤタグから読み出した個別情報に対応する音声メッセージを音声メッセージ記憶部から選択し、音声信号に変換する音声メッセージ選択部と、選択された音声信号によって超音波帯域の搬送波を変調する変調器と、変調器からの変調信号を超指向性の音波として放射し、当該超指向性の音波を介して可聴音を伝達させるスピーカとを含むスピーカ装置とを備えるように構成したので、受信装置の構成を複雑にすることなく、また周辺に騒音を生じることなく音声案内を提供する音声案内システムを得ることができる効果がある。
【発明を実施するための最良の形態】
【０００９】
実施の形態１．
図１はこの発明の実施の形態１による音声案内システムの構成図である。図に示すように、音声案内システムは、無線ＩＤタグ１、無線ＩＤタグリーダライタ２、コンピュータ（音声制御装置）３、パラメトリックスピーカ装置（音声制御装置）４を備える。コンピュータ３は、情報抽出部３１、音声メッセージ記憶部３２、音声メッセージ選択部３３、音声信号出力部３４を含む。また、パラメトリックスピーカ装置４は、変調器４１、増幅器４２、パラメトリックスピーカ４３を含む。
【００１０】
無線ＩＤタグ１は利用者に携帯され、無線ＩＤタグリーダライタ２、コンピュータ３およびパラメトリックスピーカ装置４は音声案内が必要な場所に設置される。無線ＩＤタグ１には、利用者に関する属性情報および必要に応じて供給されるその他の関連情報等の個人情報が書き込まれている。コンピュータ３の音声メッセージ記憶部３２には、上記個人情報および設置される場所に対応した音声案内メッセージが記憶される。
【００１１】
図２は、この実施の形態１による音声案内システムの動作を示すフローチャートである。この図を参照して、音声案内システムの動作について説明する。
無線ＩＤタグリーダライタ２は、定期的に無線ＩＤタグ呼出信号を送出する（ステップＳＴ１０１）。無線ＩＤタグ１を携帯する利用者が無線ＩＤタグリーダライタ２と一定の距離範囲内に近づくと、無線ＩＤタグ１は上記呼出信号を受信し、それに応じて応答信号を返信する。
【００１２】
無線ＩＤタグリーダライタ２は、無線ＩＤタグ１からの応答信号を受け取ると（ステップＳＴ１０２）、無線ＩＤタグ１から無線ＩＤタグの示すＩＤ、予め記憶されている個人情報等を読み出し、デジタル信号に変換してコンピュータ３に送出する（ステップＳＴ１０３）。コンピュータ３は、情報抽出部３１において、受け取ったデジタル信号から上記ＩＤ、個人情報等を抽出し、音声メッセージ選択部３３において、抽出した個人情報と音声案内を要する場所に適した内容の音声案内メッセージを音声メッセージ記憶部３２から選択して読み出す（ステップＳＴ１０４）。続いて、音声信号出力部３４において、上記音声案内メッセージを音声信号に変換してパラメトリックスピーカ装置４の変調器４１に送出する（ステップＳＴ１０５）。
【００１３】
変調器４１は、音声信号出力部３４からの音声信号によって超音波帯域の搬送波を変調し、増幅器４２に送出する（ステップＳＴ１０６）。増幅器４２は受け取った変調信号を増幅し（ステップＳＴ１０７）、超指向性の音波としてパラメトリックスピーカ４３から放射する（ステップＳＴ１０８）。パラメトリックスピーカ４３からは超指向性の音波を介して可聴音が伝達される。放射された音声メッセージは、超音波の特性を残して指向性が強くなり、スポット的な一定範囲６のみで音声が聞こえるようになる。
【００１４】
その後、無線ＩＤタグ１を携帯する利用者が無線ＩＤタグリーダライタ２から遠ざかると、無線ＩＤタグリーダライタ２は無線ＩＤタグ１からの応答信号を受け取らなくなるので、無線ＩＤタグリーダライタ２は無線ＩＤタグ１からの個人情報の読み取りを停止し、これに応じてコンピュータ３は音声案内を終了する。なお、無線ＩＤタグリーダライタ２が無線ＩＤタグ１からの応答信号を受け取らなくなってから一定時間経過後に音声案内を終了させるようにしてもよい。
【００１５】
以上のように、この実施の形態１によれば、無線ＩＤタグ１を携帯する利用者が一定距離範囲内に近づくと無線ＩＤタグリーダライタ２が個人情報を読み出し、読み出した個人情報と音声案内を要する場所に対応する内容の音声案内メッセージをコンピュータが選択し、パラメトリックスピーカ装置４が指向性の音波として放射するようにしたので、従来のように人体に装着する装置を複雑な構成にすることなく、また周辺に騒音を起こさないようにスポット的に音声メッセージを発することができるという効果が得られる。
【００１６】
実施の形態２．
上記実施の形態１では無線ＩＤタグ１を利用者が携帯する場合を説明したが、この実施の形態２では、無線ＩＤタグ１を商品に取り付ける場合について説明する。音声案内システムの構成は、実施の形態１と同一であるためその詳細な説明は省略する。
【００１７】
商品に取り付ける無線ＩＤタグ１には、製造メーカ名、品名、種別、製品の履歴、価格等の製品情報を書き込んでおく。無線ＩＤタグリーダライタ２、コンピュータ３およびパラメトリックスピーカ装置４は、商品管理者等が商品の受け入れ、在庫管理等を行う場所に設置する。
【００１８】
実施の形態１と同様に、無線ＩＤタグリーダライタ２は、定期的に無線ＩＤタグ呼出信号を送出する。商品管理者等が無線ＩＤタグ１を取り付けた商品を無線ＩＤタグリーダライタ２に近づけると、無線ＩＤタグ１は上記呼出信号を受信し、それに応じて応答信号を返信する。無線ＩＤタグリーダライタ２は、無線ＩＤタグ１からの応答信号を受け取ると、無線ＩＤタグ１からＩＤおよび予め記憶されている製品情報等を読み出し、デジタル信号に変換してコンピュータ３に送出する。
【００１９】
コンピュータ３は、情報抽出部３１において、受け取ったデジタル信号から上記ＩＤ、製品情報等を抽出し、音声メッセージ選択部３３において、抽出した製品情報および音声案内を要する場所に適した内容の音声案内メッセージを音声メッセージ記憶部３２から選択して読み出す。続いて、音声信号出力部３４は上記音声案内メッセージを音声信号に変換してパラメトリックスピーカ装置４に送出する。パラメトリックスピーカ装置４は、実施の形態１で示したように、音声信号によって超音波帯域の搬送波を変調し、超指向性の音波を介して可聴音を放射する。
【００２０】
以上のように、この実施の形態２によれば、無線ＩＤタグ１に製品情報を書き込んで商品に取り付け、無線ＩＤタグリーダライタ２により製品情報を読み出し、それに対応する音声メッセージをコンピュータ３により選択してパラメトリックスピーカ装置４から放射するようにしたので、商品の受け入れ、在庫管理等を行うときに利用者にスポット的に音声案内を行うことができる。よって、周辺への騒音の少ない音声案内を行うことができ、業務の効率化を図ることができる効果が得られる。
【００２１】
なお、無線ＩＤタグ１を貨物に取り付けるようにしてもよい。この場合、無線ＩＤタグ１には、荷主名、品名、重量、届け先住所／氏名、中継箇所名（営業所名）、運賃等の貨物情報を書き込んでおく。無線ＩＤタグ１は貨物に取り付け、無線ＩＤタグリーダライタ２、コンピュータ３およびパラメトリックスピーカ装置４は、貨物管理者等が貨物の受け入れ、仕分け業務等を行う場所に設置する。これにより、貨物の受け入れ、仕分け業務等を行うときに周辺への騒音の少ない音声案内を行うことができ、業務の効率化を図ることができる効果が得られる。
【００２２】
また、無線ＩＤタグリーダライタ２はハンディ型のものを使用して、無線ＩＤタグ１に近づけたときに無線ＩＤタグ１と無線ＩＤタグリーダライタ２とが通信するようにしてもよい。
【００２３】
実施の形態３．
図３はこの発明の実施の形態３による音声案内システムの構成図である。図に示すように、この実施の形態３では実施の形態１で説明した無線ＩＤタグ１の代わりに書き換え手段付き無線ＩＤタグ７を使用する。その他の構成は実施の形態１で示したものと同一とする。
【００２４】
書き換え手段付き無線ＩＤタグ７は、実施の形態１で示した無線ＩＤタグ１にテンキーおよび表示器等を設けたものとする。利用者は書き換え手段付き無線ＩＤタグ７を携帯し、書き込まれている任意情報をテンキー操作などにより書き換えることができる。また、無線ＩＤタグリーダライタ２、コンピュータ３およびパラメトリックスピーカ装置４は、音声案内を必要とする場所に設置する。
【００２５】
例えば、利用者が外出先である施設においてトイレを探したいとする。この場合、利用者は書き換え手段付き無線ＩＤタグ７により任意情報を「トイレ」と書き換える。書き換え手段付き無線ＩＤタグ７を携帯した利用者が無線ＩＤタグリーダライタ２の一定距離範囲内に近づくと、無線ＩＤタグリーダライタ２は書き換え手段付き無線ＩＤタグ７から個人情報と共に任意情報として書き込まれた「トイレ」を読み出し、デジタル信号に変換してコンピュータ３に送出する。
【００２６】
コンピュータ３は、情報抽出部３１において、受け取ったデジタル信号から個人情報および任意情報を抽出し、音声メッセージ選択部３３において、抽出した任意情報「トイレ」に応じてその場所を案内する音声案内メッセージを音声メッセージ記憶部３２から選択して読み出す。続いて、音声信号出力部３４において上記音声案内メッセージを音声信号に変換してパラメトリックスピーカ装置４に送出する。パラメトリックスピーカ装置４は、音声信号によって超音波帯域の搬送波を変調し、超指向性の音波を介して可聴音を放射する。
【００２７】
同様に、例えば購入したいものの品名を任意情報として書き換え手段付き無線ＩＤタグ７に書き込むことよって、最寄りの販売店までの音声案内を行うということもできる。
【００２８】
以上のように、この実施の形態３によれば、書き換え手段付き無線ＩＤタグ７を用いることにより利用者の任意情報を書き換えられるようにしたので、例えば外出先において利用者が求める施設、商品等までの経路を音声案内で示すことなどができるという効果が得られる。
【００２９】
実施の形態４．
図４はこの発明の実施の形態４による音声案内システムの構成図である。図に示すように、この実施の形態４では、音声案内システムは、無線ＩＤタグ１、無線ＩＤタグリーダライタ２ａ〜２ｎ、コンピュータ３ａ、パラメトリックスピーカ装置４ａ〜４ｎを備える。パラメトリックスピーカ装置４ａ〜４ｎは、それぞれ無線ＩＤタグリーダライタ２ａ〜２ｎに対応する。
【００３０】
この音声案内システムは、実施の形態１で示した音声案内システムに対して、コンピュータ３ａに接続される無線ＩＤタグリーダライタおよびパラメトリックスピーカ装置をそれぞれ複数個ずつ設けたものである。コンピュータ３ａは、複数の無線ＩＤタグリーダライタ２ａ〜２ｎおよび複数のパラメトリックスピーカ装置４ａ〜４ｎを制御する。各パラメトリックスピーカ装置４ａ〜４ｎは、実施の形態１で説明したように、変調器、増幅器、パラメトリックスピーカを備える。また、音声メッセージ記憶部３２は無線ＩＤタグリーダライタ２ａ〜２ｎの配置に応じた音声案内メッセージを記憶する。
【００３１】
利用者は無線ＩＤタグ１を携帯して移動する。この利用者の位置に応じて無線ＩＤタグリーダライタ２ａ〜２ｎのうちのいずれかひとつが無線ＩＤタグ１からの応答信号を受け取る。応答信号を受け取った無線ＩＤタグリーダライタは、無線ＩＤタグの示すＩＤ、予め記憶されている個人情報等を無線ＩＤタグ１から読み出し、デジタル信号に変換してコンピュータ３ａに送出する。またこれと共に、無線ＩＤタグリーダライタ自身の配置を示す固有の管理番号（ＩＤ）を送出する。
【００３２】
コンピュータ３ａは、情報抽出部３１において、無線ＩＤタグリーダライタ２ａ〜２ｎから受け取ったデジタル信号から個人情報およびその配置を示す固有の管理番号等を抽出し、音声メッセージ選択部３３において、抽出した個人情報および無線ＩＤタグリーダライタの配置に応じた内容の音声案内メッセージを音声メッセージ記憶部３２から選択して読み出す。続いて、音声信号出力部３４において上記音声案内メッセージを音声信号に変換し、デジタル信号を送出してきた無線ＩＤタグリーダライタに対応するパラメトリックスピーカ装置４ａ〜４ｎのいずれかに供給する。音声信号を受け取ったパラメトリックスピーカ装置は、この音声信号によって超音波帯域の搬送波を変調してパラメトリックスピーカから空気中に放射する。
【００３３】
以上のように、この実施の形態４によれば、複数の無線ＩＤタグリーダライタ２ａ〜２ｎおよびそれぞれに対応するパラメトリックスピーカ装置４ａ〜４ｎを備え、音声メッセージ記憶部３２に無線ＩＤタグリーダライタ２ａ〜２ｎの配置に対応する音声案内を保持させ、コンピュータ３ａで制御するようにしたので、無線ＩＤタグ１の位置、すなわち利用者の進行方向に従って音声による経路案内を行うことができるという効果が得られる。
【００３４】
実施の形態５．
図５はこの発明の実施の形態５による音声案内システムの構成図である。この実施の形態５では、実施の形態４で示した構成に対して、無線ＩＤタグ１のメモリに無線ＩＤタグリーダライタ２ａ〜２ｎから情報を書き込めるようにしたものである。コンピュータ３ｂは個別情報記憶部３５を備える。個別情報記憶部３５は、無線ＩＤタグ１に書き込みたい個別情報を格納する。無線ＩＤタグ１は利用者が携帯し、その他の装置は音声案内を必要とする場所に設置する。
【００３５】
図６はこの音声案内システムの動作を示すフローチャートである。この図を参照して動作について説明する。
無線ＩＤタグリーダライタ２ａ〜２ｎは、定期的に無線ＩＤタグ呼出信号を送出する（ステップＳＴ２０１）。無線ＩＤタグ１を携帯する利用者が無線ＩＤタグリーダライタ２と一定の距離範囲内に近づくと、無線ＩＤタグ１は上記呼出信号を受信し、それに応じて応答信号を返信する。
【００３６】
無線ＩＤタグリーダライタ２は、無線ＩＤタグ１からの応答信号を受け取ると（ステップＳＴ２０２）、無線ＩＤタグ１から無線ＩＤタグの示すＩＤ、予め記憶されている個人情報等を読み出し、自己のＩＤと共にデジタル信号に変換してコンピュータ３に送出する。コンピュータ３は、情報抽出部３１において、受け取ったデジタル信号から無線ＩＤタグ１のＩＤ、個人情報および無線ＩＤタグリーダライタ２のＩＤを抽出する（ステップＳＴ２０３）。
【００３７】
続いて、情報抽出部３１は抽出した上記情報に基づいて、個別情報記憶部３５に無線ＩＤタグ１に書き込む必要がある個別情報があるか否かを判断する（ステップＳＴ２０４）。書き込みが不要な場合には、音声メッセージ選択部３３が個人情報および音声案内を要する場所に適した内容の音声案内メッセージを音声メッセージ記憶部３２から選択して読み出し（ステップＳＴ２０５）、音声信号出力部３４が、音声信号に変換してパラメトリックスピーカ装置４に送出する（ステップＳＴ２０６）。
【００３８】
パラメトリックスピーカ装置４は、変調器において受け取った音声信号によって超音波帯域の搬送波を変調し、増幅器に送出する（ステップＳＴ２０７）。増幅器は受け取った変調信号を増幅し（ステップＳＴ２０８）、超指向性の音波としてパラメトリックスピーカから放射する（ステップＳＴ２０９）。
【００３９】
一方、無線ＩＤタグ１に個別情報の書き込みが必要な場合は、情報抽出部３１は書き込む個別情報を個別情報記憶部３５から選択し（ステップＳＴ２１０）、デジタル信号を送出してきた無線ＩＤタグリーダライタに供給する。無線ＩＤタグリーダライタは、無線ＩＤタグ１に個別情報の書き込みを行う（ステップＳＴ２１１）。続いて、情報抽出部３１は、抽出した情報に基づいて音声案内を行うか行わないかを判断し（ステップＳＴ２１２）、行う場合はステップＳＴ２０５に進み、行わない場合はステップＳＴ２０１に戻る。
【００４０】
例えば、個人の購入した商品の情報を無線ＩＤタグ１に書き込んでおき、次回以降の来店時に無線ＩＤタグ１に書き込まれた商品情報に基づいて音声メッセージ記憶部３２から音声メッセージを選択し、例えば類似商品等についてのキャンペーン情報などを個別的に音声案内できる。この場合、利用者は商品が安く購入でき、また、店においては、売上に貢献できるなどの効果がある。
【００４１】
以上のように、この実施の形態５によれば、コンピュータ３ｂが個別情報記憶部３５を備え、無線ＩＤタグリーダライタ２ａ〜２ｎが個別情報記憶部３５からの情報を無線ＩＤタグ１に書き込む機能を備えるようにしたので、利用者の利便性を向上できる効果が得られる。
【図面の簡単な説明】
【００４２】
【図１】この発明の実施の形態１による音声案内システムの構成図である。
【図２】同実施の形態１による音声案内システムの動作を示すフローチャートである。
【図３】この発明の実施の形態３による音声案内システムの構成図である。
【図４】この発明の実施の形態４による音声案内システムの構成図である。
【図５】この発明の実施の形態５による音声案内システムの構成図である。
【図６】同実施の形態５による音声案内システムの動作を示すフローチャートである。
【符号の説明】
【００４３】
１  無線ＩＤタグ、２，２ａ〜２ｎ  無線ＩＤタグリーダライタ、３，３ａ，３ｂ  コンピュータ、４，４ａ〜４ｎ  パラメトリックスピーカ装置、３１  情報抽出部、３２  音声メッセージ記憶部、３３  音声メッセージ選択部、３４  音声信号出力部、３５  個別情報記憶部、４１  変調器、４２  増幅器、４３  パラメトリックスピーカ。
【図１】
2006128805.tif 000003
【図２】
2006128805.tif 000004
【図３】
2006128805.tif 000005
【図４】
2006128805.tif 000006
【図５】
2006128805.tif 000007
【図６】
2006128805.tif 000008